【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
第１始動領域と第２始動領域を備え、開始条件の成立にもとづいて可変表示を行い、遊技者にとって有利な有利状態に制御可能な遊技機であって、
通常状態と、前記通常状態および前記有利状態とは異なる特別状態に制御可能な状態制御手段と、
前記可変表示に関する情報を保留記憶として記憶する保留記憶手段と、
前記保留記憶手段に記憶されている保留記憶の各々に対応して所定の表示態様で保留表示を表示する保留表示手段と、
前記開始条件が成立したことにもとづいて、前記有利状態となるか否かを決定する事前決定手段と、
前記事前決定手段による決定の前に、前記有利状態となるか否かを判定する特定判定手段と、
前記特定判定手段による判定結果にもとづいて、前記有利状態となる可能性があることを、前記特定判定手段による判定の対象となった保留記憶に対応する保留表示を通常態様とは異なる表示態様に変化させて表示することにより予告する予告演出を実行する予告演出実行手段と、
保留表示の表示態様が変化することを示唆する示唆演出を実行する示唆演出実行手段とを備え、
前記予告演出実行手段は、
保留記憶に対応する保留表示を前記通常態様とは異なる表示態様である複数種類の特別態様のいずれかに変化させて表示することにより該保留記憶にもとづいて前記有利状態となる可能性があることを異なる期待度で予告する予告演出を実行可能であり、
前記通常態様で表示されている保留表示を前記特別態様に変化させて表示するときと、前記通常態様とは異なる表示態様で表示されている保留表示を前記特別態様に変化させて表示するときとで、異なる割合で複数種類の前記特別態様のいずれかに変化させて表示し、
前記示唆演出は、保留表示の表示態様が変化するときに実行される第１パターンの示唆演出と、保留表示の表示態様が変化しないときに実行される第２パターンの示唆演出とを含み、
前記保留表示手段によって表示されている保留表示のうちに前記通常態様とは異なる表示態様で表示されている保留表示がある場合には、前記保留表示手段によって表示されている保留表示のうちに前記通常態様とは異なる表示態様で表示されている保留表示がない場合よりも高い割合で、前記第２パターンの示唆演出が実行され、
前記予告演出実行手段は、前記通常状態においては前記第1始動領域への入賞に基づいて予告演出を実行可能であることを特徴とする遊技機。
【手続補正２】
【補正対象書類名】明細書
【補正対象項目名】０００９
【補正方法】変更
【補正の内容】
【０００９】
（手段Ａ）本発明による遊技機は、第１始動領域と第２始動領域を備え、開始条件の成立にもとづいて可変表示を行い、遊技者にとって有利な有利状態に制御可能な遊技機であって、通常状態と前記通常状態および前記有利状態とは異なる特別状態に制御可能な状態制御手段と、前記可変表示に関する情報を保留記憶として記憶する保留記憶手段と、前記保留記憶手段に記憶されている保留記憶の各々に対応して所定の表示態様で保留表示を表示する保留表示手段と、前記開始条件が成立したことにもとづいて、前記有利状態となるか否かを決定する事前決定手段と、前記事前決定手段による決定の前に、前記有利状態となるか否かを判定する特定判定手段と、前記特定判定手段による判定結果にもとづいて、前記有利状態となる可能性があることを、前記特定判定手段による判定の対象となった保留記憶に対応する保留表示を通常態様とは異なる表示態様に変化させて表示することにより予告する予告演出を実行する予告演出実行手段と、保留表示の表示態様が変化することを示唆する示唆演出を実行する示唆演出実行手段とを備え、前記予告演出実行手段は、保留記憶に対応する保留表示を前記通常態様とは異なる表示態様である複数種類の特別態様のいずれかに変化させて表示することにより該保留記憶にもとづいて前記有利状態となる可能性があることを異なる期待度で予告する予告演出を実行可能であり、前記通常態様で表示されている保留表示を前記特別態様に変化させて表示するときと、前記通常態様とは異なる表示態様で表示されている保留表示を前記特別態様に変化させて表示するときとで、異なる割合で複数種類の前記特別態様のいずれかに変化させて表示し、前記示唆演出は、保留表示の表示態様が変化するときに実行される第１パターンの示唆演出と、保留表示の表示態様が変化しないときに実行される第２パターンの示唆演出とを含み、前記保留表示手段によって表示されている保留表示のうちに前記通常態様とは異なる表示態様で表示されている保留表示がある場合には、前記保留表示手段によって表示されている保留表示のうちに前記通常態様とは異なる表示態様で表示されている保留表示がない場合よりも高い割合で、前記第２パターンの示唆演出が実行され、前記予告演出実行手段は、前記通常状態においては前記第1始動領域への入賞に基づいて予告演出を実行可能であることを特徴とする遊技機。そのような構成により、予告演出が実行されるときの保留表示の表示態様にも関心を持たせることができ、さらに可変表示の表示結果が特定表示結果となる可能性を異なる期待度で予告することができるため、予告演出の興趣を高めることができる。
（１）（手段１）本発明による他の遊技機は、遊技領域に設けられた始動領域（例えば、第１始動入賞口１３または第２始動入賞口１４）を遊技媒体（例えば、遊技球）が通過した後に、可変表示の開始を許容する開始条件（例えば、保留記憶数が０でない場合であって、第１特別図柄および第２特別図柄の可変表示が実行されていない状態であり、かつ、大当り遊技が実行されていない状態）の成立にもとづいて、各々を識別可能な複数種類の識別情報の可変表示（例えば、第１特別図柄や第２特別図柄、演出図柄の変動表示）を行い表示結果を導出表示する可変表示手段にあらかじめ定められた特定表示結果（例えば、大当り図柄）が導出表示されたときに、遊技者にとって有利な特定遊技状態（例えば、大当り遊技状態）に制御する遊技機であって、始動領域を遊技媒体が通過したときに、数値データを抽出する数値データ抽出手段（例えば、遊技制御用マイクロコンピュータ５６０がステップＳ１２１６，Ｓ１２２７を実行する部分）と、始動領域を遊技媒体が通過したが未だ開始条件が成立していない可変表示について、所定の上限数（例えば、４）を限度に、数値データ抽出手段が抽出した数値データを保留記憶（例えば、第１保留記憶や第２保留記憶）として記憶する保留記憶手段（例えば、第１保留記憶バッファや第２保留記憶バッファ）と、保留記憶手段に記憶されている保留記憶の各々に対応して所定の表示態様で保留表示を表示する保留表示手段（例えば、合算保留記憶表示部１８ｃ）と、開始条件が成立したときに、数値データ抽出手段によって抽出された数値データを用いて可変表示の表示結果を特定表示結果とするか否かを決定する事前決定手段（例えば、遊技制御用マイクロコンピュータ５６０がステップＳ６１，Ｓ６２，Ｓ７３を実行する部分）と、事前決定手段による決定結果にもとづいて、可変表示の制御を行う可変表示制御手段（例えば、演出制御用マイクロコンピュータ１００がステップＳ１８１３，Ｓ１８４５を実行する部分）と、事前決定手段の決定前に、保留記憶手段に記憶されている保留記憶にもとづく可変表示の表示結果が特定表示結果となるか否かを判定する特定判定手段（例えば、遊技制御用マイクロコンピュータ５６０がステップＳ１２１７，Ｓ１２２８を実行する部分）と、特定判定手段による判定結果にもとづいて、保留記憶手段に記憶されている保留記憶にもとづく可変表示の表示結果が特定表示結果となる可能性があることを該保留記憶に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、予告演出実行手段は、保留記憶に対応する保留表示を通常態様とは異なる表示態様である複数種類の特別態様（第１特別態様または第２特別態様（本例の特殊態様も含む））のいずれかに変化させて表示することにより該保留記憶にもとづく可変表示の表示結果が特定表示結果となる可能性があることを異なる期待度で予告する予告演出を実行可能であり、通常態様で表示されている保留表示を特別態様に変化させて表示するときと、通常態様とは異なる表示態様（特殊態様（本例の第１特別態様も含む））で表示されている保留表示を特別態様（第１特別態様または第２特別態様）に変化させて表示するときとで、異なる割合で複数種類の特別態様のいずれかに変化させて表示し（例えば、演出制御用マイクロコンピュータ１００が、最終表示態様にもとづいて、先読み演出パターンを決定する先読み演出決定処理（ステップＳ６７１，Ｓ６７１０６，Ｓ６７１０７）を実行する部分と、先読み演出決定処理の決定結果にもとづいて、ステップＳ１８１３，Ｓ１８４５を実行する部分。図３４参照）、前記特定遊技状態において開放し、遊技媒体が入賞可能な第１可変入賞装置（例えば、第１大入賞口）と第２可変入賞装置（例えば、第２大入賞口）と、前記第１可変入賞装置または前記第２可変入賞装置が開放していないときに遊技媒体が入賞したことにもとづいて異常報知を行う異常報知手段（例えば、第１大入賞口が開放状態であることを示す第１大入賞口開放フラグがセットされていない状態で第１カウントスイッチ２３ａによって遊技球が検出されているとき、または第２大入賞口が開放状態であることを示す第２大入賞口開放フラグがセットされていない状態で第２カウントスイッチ２３ｂによって遊技球が検出されているときに、大入賞口異常が発生したと判断し、大入賞口異常を報知する部分）と、を更に備え、前記異常報知手段は、特別条件が成立しているときに、前記第１可変入賞装置及び前記第２可変入賞装置の何れに入賞が発生したかに応じて異なる態様で異常報知を行う（例えば、特別条件が成立しているときに、異なる態様で報知を行う部分）、ことを特徴とする。そのような構成により、予告演出が実行されるときの保留表示の表示態様にも関心を持たせることができ、さらに可変表示の表示結果が特定表示結果となる可能性を異なる期待度で予告することができるため、予告演出の興趣を高めることができる。